(57)【特許請求の範囲】
【請求項１】
複数の移動局装置と複数の基地局装置とを含み、
前記複数の移動局装置のそれぞれは、前記複数の基地局装置のいずれか少なくとも１つと通信を行い、
前記通信は、フレームを構成する複数のタイムスロットのうち少なくとも１つを利用して行われる、
移動体通信システムにおいて使用される基地局装置であって、
前記移動局装置からの通信開始要求を受信する通信開始要求受付手段と、
注目フレームにおいて、他の移動局装置により連結タイムスロット通信が行われているか否かを判断する連結タイムスロット通信有無判断手段と、
前記連結タイムスロット通信有無判断手段により、前記注目フレームにおいて連結タイムスロット通信が行われていると判断される場合に、前記通信開始要求を送信した移動局装置が開始しようとしている通信が、前記連結タイムスロット通信を解除することとなる通信であると判断した場合に、前記通信開始要求を送信した移動局装置の通信を開始することを制限する通信開始制限手段と、
を含むことを特徴とする基地局装置。
【請求項２】
請求項１に記載の基地局装置において、
前記連結タイムスロットを解除することとなる通信は、前記連結タイムスロットを利用不可能な通信であるか、又は前記連結タイムスロットを利用可能な通信であって既に行われている前記連結タイムスロット通信との空間分割多重が不可能な通信である、
ことを特徴とする基地局装置。
【請求項３】
請求項１または２に記載の基地局装置において、
前記通信開始制限手段は、前記通信開始要求を送信した移動局装置に対しハンドオーバを指示することにより、該移動局装置が通信を開始することを制限する、
ことを特徴とする基地局装置。
【請求項４】
請求項１乃至３のいずれか１項に記載の基地局装置において、
前記通信開始制限手段は、前記連結タイムスロット通信有無判断手段により、前記注目フレームにおいて連結タイムスロット通信が行われていないと判断される場合に、前記通信開始要求を送信した移動局装置が連結タイムスロット通信を開始することを制限する、
ことを特徴とする基地局装置。
【請求項５】
複数の移動局装置と複数の基地局装置とを含み、
前記複数の移動局装置のそれぞれは、前記複数の基地局装置のいずれか少なくとも１つと通信を行い、
前記通信は、フレームを構成する複数のタイムスロットのうち少なくとも１つを利用して行われる、
移動体通信システムにおいて移動局装置が通信を開始することを制限する通信開始制限方法であって、
注目フレームにおいて、他の移動局装置により連結タイムスロット通信が行われているか否かを判断する連結タイムスロット通信有無判断ステップと、
前記連結タイムスロット通信有無判断ステップにおいて、前記注目フレームにおいて連結タイムスロット通信が行われていると判断される場合に、前記移動局装置が開始しようとしている通信が、前記連結タイムスロット通信を解除することとなる通信であると判断した場合に、前記移動局装置の通信を開始することを制限する通信開始制限ステップと、
を含むことを特徴とする通信開始制限方法。
【請求項６】
複数の移動局装置と複数の基地局装置とを含み、
前記複数の移動局装置のそれぞれは、前記複数の基地局装置のいずれか少なくとも１つと通信を行い、
前記通信は、フレームを構成する複数のタイムスロットのうち少なくとも１つを利用して行われる、
移動体通信システムにおいて使用される基地局装置としてコンピュータを機能させるプログラムであって、
前記移動局装置からの通信開始要求を受信する通信開始要求受付手段、
注目フレームにおいて、他の移動局装置により連結タイムスロット通信が行われているか否かを判断する連結タイムスロット通信有無判断手段、及び
前記連結タイムスロット通信有無判断手段により、前記注目フレームにおいて連結タイムスロット通信が行われていると判断される場合に、前記通信開始要求を送信した移動局装置が開始しようとしている通信が、前記連結タイムスロット通信を解除することとなる通信であると判断した場合に、前記通信開始要求を送信した移動局装置の通信を開始することを制限する通信開始制限手段、
として、前記コンピュータをさらに機能させるためのプログラム。
【発明の詳細な説明】
【技術分野】
【０００１】
本発明は基地局装置、通信開始制限方法、及びプログラムに関する。
【背景技術】
【０００２】
時分割多重通信が行われる移動体通信システムでは、基地局装置は、通常、フレームを構成する複数のタイムスロットに、それぞれ異なる移動局装置を割り当てる。しかしこのようにすると、通信する移動局装置の数が少ない場合には使用されないタイムスロット（未使用タイムスロット）が発生する。そこで、近年の移動体通信システムには、あるフレームに未使用タイムスロットが発生している場合に、基地局装置が該フレームを構成するタイムスロットを利用して通信を行う移動局装置に２つ以上の連続するタイムスロットを割り当てて、その通信レートを上げるようにしているものがある。このようにして割り当てられた一連のタイムスロットは連続タイムスロットと呼ばれる。
【０００３】
ここで、個々のタイムスロットは、呼制御処理のための情報を含むヘッダ部分と、通信データを含むペイロード部分とから成っている。通信レートは、ペイロード部分の長さに比例する。
【０００４】
上述のように１つの移動局装置にｎ個（ｎ≧２）のタイムスロットを割り当てる場合、単純に計算するとペイロード部分の長さはｎ倍になるので、通信レートもｎ倍になる。しかし、各タイムスロットのヘッダ部分には、同じ移動局装置について同じフレーム内では１度送信すれば足りる情報（タイムスロット共通情報）も含まれている。そこで、先頭タイムスロット以外のタイムスロットではこのタイムスロット共通情報を共通化して省略することとし、その分ペイロード部分に割り振ることで、通信レートがｎ倍を超えるようにする技術がある。このようにしてタイムスロット共通情報を共通化した一連のタイムスロットは、上記連続タイムスロットのうち、特に連結タイムスロットと呼ばれる。
【０００５】
この連結タイムスロットは、タイムスロット共通情報が１タイムスロット分しか含まれていないので、基地局装置及び移動局装置においては、１つのタイムスロットとして取り扱われる。
【０００６】
なお、特許文献１には、利用可能なタイムスロットを基地局から無線端末に予め通知しておくことにより、無線端末が基地局にランダムアクセスする際、予め通知されていた利用可能なタイムスロットの中から、通信に使用するタイムスロットをランダムに選択することができるようにする無線通信システムが開示されている。
【特許文献１】特開平１０−２０９９５６号公報
【発明の開示】
【発明が解決しようとする課題】
【０００７】
上記従来の技術では、移動局装置Ａが連結タイムスロットを利用している場合に、移動局装置Ｂが該連結タイムスロットを構成するタイムスロットのうちのいくつか（全てではない）を利用して通信を行おうとした場合に、移動局装置Ａの連結タイムスロットを解除し、連結タイムスロットを構成していたタイムスロットのうちのいくつかを移動局装置Ｂに割り当てることにより対応していた。このため、移動局装置Ｂが通信開始しようとすることにより、結果的に移動局装置Ａの通信レートが下がってしまっていた。
【０００８】
従って本発明の課題の一つは、ある移動局装置の通信が、連結タイムスロットを利用することにより高速通信している他の移動局装置の通信レートに影響を与えないようにすることを実現する基地局装置、通信開始制限方法、及びプログラムを提供することにある。
【課題を解決するための手段】
【０００９】
上記課題を解決するための本発明に係る基地局装置は、複数の移動局装置と複数の基地局装置とを含み、前記複数の移動局装置のそれぞれは、前記複数の基地局装置のいずれか少なくとも１つと通信を行い、前記通信は、フレームを構成する複数のタイムスロットのうち少なくとも１つを利用して行われる、移動体通信システムにおいて使用される基地局装置であって、前記移動局装置からの通信開始要求を受信する通信開始要求受付手段と、注目フレームにおいて、連結タイムスロット通信が行われているか否かを判断する連結タイムスロット通信有無判断手段と、前記連結タイムスロット通信有無判断手段により、前記注目フレームにおいて連結タイムスロット通信が行われていると判断される場合に、前記通信開始要求を送信した移動局装置が通信を開始することを制限する通信開始制限手段と、を含むことを特徴とする。
【００１０】
この移動体通信システムでは、通信開始要求を送信した移動局装置が通信を開始することを制限できるので、該移動局装置の通信が、連結タイムスロットを利用することにより高速通信している他の移動局装置の通信レートに影響を与えないようにすることが実現される。
【００１１】
また、上記基地局装置において、前記通信開始制限手段は、前記通信開始要求を送信した移動局装置が前記連結タイムスロット通信のタイムスロット連結を解除することとなる通信を開始することを制限する、こととしてもよい。
【００１２】
この移動体通信システムでは、通信開始要求を送信した移動局装置が前記連結タイムスロットを解除することとなる通信を開始することを制限できるので、該移動局装置の通信が、連結タイムスロットを利用することにより高速通信している他の移動局装置の通信レートに影響を与えないようにすることが実現される。
【００１３】
また、上記基地局装置において、前記連結タイムスロットを解除することとなる通信は、前記連結タイムスロットを利用不可能な通信であるか、又は前記連結タイムスロットを利用可能な通信であって既に行われている前記連結タイムスロット通信との空間分割多重が不可能な通信である、こととしてもよい。
【００１４】
移動体通信システムには、空間分割多重を行うものがある。空間分割多重では、基地局装置は、複数の移動局装置と同時にかつ同一周波数で通信しうる。これは、基地局装置が送信する電波に指向性を持たせることにより実現される。すなわち、基地局装置は、ある移動局装置に対して送信する電波の指向性を該移動局装置の存在する方向に向けるとともに、該電波のヌル点が多重する他の移動局装置の存在する方向に向くようにしている。
【００１５】
ところで、移動局装置Ａが連結タイムスロットを利用しているときに、移動局装置Ｂが該連結タイムスロットを構成するタイムスロットのうちのいくつか（全てではない）を利用して通信を行おうとした場合、移動局装置Ａと移動局装置Ｂは空間分割多重できない。
【００１６】
すなわち、空間分割多重では、連結タイムスロットを利用する移動局装置と空間分割多重できるのは、同じ周波数かつ同じタイミングかつ同じタイムスロット数の連結タイムスロットを利用する移動局装置のみであるため、移動局装置Ａと移動局装置Ｂを空間分割多重できないのである。以下、この点について説明する。
【００１７】
空間分割多重では、基地局装置はタイムスロット単位で電波の指向性の制御を行う。この「指向性の制御」とは、通信対象である移動局に対し指向性を向けるとともに、他の通信対象でない多重される移動局に対しヌル点を向ける処理を指す。
【００１８】
連結タイムスロットは上述のように１つのタイムスロットとして取り扱われるものである。上述のように移動局装置Ａと移動局装置Ｂとの空間多重を行なう場合、基地局装置は移動局装置Ａと連結タイムスロットを利用して通信中に、連結ではない一部のスロットを利用して移動局装置Ｂと空間多重を行なうことになる。したがって基地局装置は、移動局装置Ａに対する信号について、連結タイムスロットの間、指向性を移動局装置Ａに向ける一方、連結タイムスロットの途中で移動局装置Ｂに対しヌル点を向ける処理をしなければならない。このような処理は非常に困難であり通常は行なわれない。つまり、基地局装置は連結タイムスロットの途中で電波の指向性を変えなければならない状況には対応することができない。この結果、連結タイムスロットを利用する移動局装置と空間分割多重できるのは、同じ周波数かつ同じタイミングかつ同じタイムスロット数の連結タイムスロットを利用する移動局装置のみとなるのである。
【００１９】
そこで、上記基地局装置では、連結タイムスロットを利用不可能な通信、及び連結タイムスロット通信との空間分割多重が不可能な通信を、連結タイムスロットを解除することとなる通信として取り扱っている。
【００２０】
また、上記各基地局装置において、前記通信開始要求を送信した移動局装置に対しハンドオーバを指示することにより、該移動局装置が前記連結タイムスロット通信のタイムスロット連結を解除することとなる通信を開始することを制限する、こととしてもよい。
【００２１】
また、上記各基地局装置において、前記通信開始制限手段は、前記連結タイムスロット通信有無判断手段により、前記注目フレームにおいて連結タイムスロット通信が行われていないと判断される場合に、前記通信開始要求を送信した移動局装置が連結タイムスロット通信を開始することを制限する、こととしてもよい。
【００２２】
また、本発明に係る通信開始制限方法は、複数の移動局装置と複数の基地局装置とを含み、前記複数の移動局装置のそれぞれは、前記複数の基地局装置のいずれか少なくとも１つと通信を行い、前記通信は、フレームを構成する複数のタイムスロットのうち少なくとも１つを利用して行われる、移動体通信システムにおいて移動局装置が通信を開始することを制限する通信開始制限方法であって、注目フレームにおいて、連結タイムスロット通信が行われているか否かを判断する連結タイムスロット通信有無判断ステップと、前記連結タイムスロット通信有無判断ステップにおいて、前記注目フレームにおいて連結タイムスロット通信が行われていると判断される場合に、通信を開始しようとする前記移動局装置が通信を開始することを制限する通信開始制限ステップと、を含むことを特徴とする。
【００２３】
また、本発明に係るプログラムは、複数の移動局装置と複数の基地局装置とを含み、前記複数の移動局装置のそれぞれは、前記複数の基地局装置のいずれか少なくとも１つと通信を行い、前記通信は、フレームを構成する複数のタイムスロットのうち少なくとも１つを利用して行われる、移動体通信システムにおいて使用される基地局装置としてコンピュータを機能させるプログラムであって、前記移動局装置からの通信開始要求を受信する通信開始要求受付手段、注目フレームにおいて、連結タイムスロット通信が行われているか否かを判断する連結タイムスロット通信有無判断手段、及び前記連結タイムスロット通信有無判断手段により、前記注目フレームにおいて連結タイムスロット通信が行われていると判断される場合に、前記通信開始要求を送信した移動局装置が通信を開始することを制限する通信開始制限手段、として、前記コンピュータをさらに機能させるためのプログラムである。
【発明を実施するための最良の形態】
【００２４】
本発明の実施の形態について、図面を参照しながら説明する。
【００２５】
図１は、本発明の実施の形態に係る移動体通信システム１のシステム構成を示す図である。同図に示すように、移動体通信システム１は、複数の移動局装置１０と、複数の基地局装置２０と、通信ネットワーク３０と、を含んで構成される。
【００２６】
移動局装置１０は、ＣＰＵ、メモリ、及び通信インターフェイスを備えたコンピュータである。ＣＰＵは、移動局装置１０の各部を制御し、音声通信、パケット通信などの通信に関わる処理を実行する。メモリは、ＣＰＵのワークメモリとして動作するとともに、ＣＰＵによって行われる各種処理に関わるプログラムやパラメータを保持している。
【００２７】
通信インターフェイスは、アンテナを備えており、基地局装置２０から送信される通信信号や制御信号を受信しＣＰＵに出力する処理や、ＣＰＵの指示に従い、通信信号や制御信号を無線区間に電波として送出する処理を行う。
【００２８】
基地局装置２０も、ＣＰＵ、メモリ、及び通信インターフェイスを備えたコンピュータである。ＣＰＵは、基地局装置２０の各部を制御し、音声通信、パケット通信などの通信に関わる処理を実行する。メモリは、ＣＰＵのワークメモリとして動作するとともに、ＣＰＵによって行われる各種処理に関わるプログラムやパラメータを保持している。
【００２９】
基地局装置２０は、通信インターフェイスとして、アンテナを備えた無線通信インターフェイスと、有線インターフェイスとを有している。無線通信インターフェイスは、移動局装置１０から送信される通信信号や制御信号を受信しＣＰＵに出力する処理や、ＣＰＵの指示に従い、通信信号や制御信号を無線区間に電波として送出する処理を行う。有線インターフェイスは、通信ネットワーク３０に含まれる他のコンピュータから送信される通信信号や制御信号を受信しＣＰＵに出力する処理や、ＣＰＵの指示に従い、通信信号や制御信号を通信ネットワーク３０に送信する処理を行う。
【００３０】
基地局装置２０に備えられる無線通信インターフェイスは、空間分割多重を行うことができるよう構成される。すなわち、この無線通信インターフェイスは複数本のアンテナを備えてアダプティブアレイアンテナを構成しており、移動局装置１０から各アンテナで受信される電波の受信電力に基づき、各アンテナから送信する電波の送信電力を制御する。基地局装置２０は、この制御により移動局装置１０の存在する方向に送信電波の指向性を向けることによって、空間分割多重を実現している。
【００３１】
複数の基地局装置２０は、上述の空間分割多重の他、時分割多重、周波数分割多重、及び時分割多重複信により多重しつつ、複数の移動局装置１０との通信を行う。
【００３２】
通信ネットワーク３０は、交換ネットワークやＴＣＰ／ＩＰネットワークである。この通信ネットワーク３０には複数のコンピュータが接続されており（不図示）、通信ネットワーク３０は、これら相互間の通信を中継する。
【００３３】
移動体通信システム１では、周波数ごとにフレームが設定されている。各フレームは、４つの上りタイムスロット（移動局装置１０から基地局装置２０へ送信される信号を含めるタイムスロット）と４つの下りタイムスロット（基地局装置２０から移動局装置１０へ送信される信号を含めるタイムスロット）とをこの順で含んで構成される。各フレーム内においてｎ番目（ｎ＝１乃至４）の上りタイムスロットと、ｎ番目の下りタイムスロットとは対応しており、１つの通信の上り（Ｒｘ）用及び下り（Ｔｘ）用として使用される。以下では、この互いに対応する上りタイムスロット及び下りタイムスロットの組み合わせをタイムスロットセットと称する。
【００３４】
以下、図２を参照しながら、タイムスロットの使用方法について概説する。
【００３５】
基地局装置２０が移動局装置１０と行う通信は、フレームを構成する複数のタイムスロットのうち少なくとも１つを利用して行われる。そこで基地局装置２０は、移動局装置１０との通信を開始するにあたり、通常は、まずタイムスロットセットの空き状況を確認し、空いているタイムスロットセット（通信に使用されていないタイムスロットセット）を移動局装置１０に割り当てる。図２（ａ）はこのようにしてタイムスロットセットが割り当てられた状態である。同図では、４つの移動局装置１０に対し、それぞれ１つずつのタイムスロットセットが割り当てられている。
【００３６】
通信を開始した後も、基地局装置２０はタイムスロットセットの空き状況を常に確認しており、フレーム内の全てのタイムスロットセットのうち、ある通信に使用されているタイムスロットセット以外のタイムスロットセットに空きが生じた場合、基地局装置２０はまず引き続き使用されている該通信の通信種別（パケット通信か音声通信か）を判断する。この判断の結果、該通信がパケット通信であれば、基地局装置２０は該通信のデータ量に応じて、空きとなったタイムスロットセットをさらに割り当て、通信レートを上げるようにする。一方、該通信が音声通信であれば、基地局装置２０は空きとなったタイムスロットセットをさらに割り当てる処理は行わない。音声通信については、通信レートを上げる必要性が低いからである。図２（ｂ）はこのようにしてタイムスロットセットが割り当てられた状態である。同図では、（Ｒｘ１，Ｔｘ１）がパケット通信、（Ｒｘ２，Ｔｘ２）が音声通信である。同図では１フレーム内で２つの移動局装置１０しか通信をしておらず、基地局装置２０は、余った２つのタイムスロットセットを、パケット通信（Ｒｘ１，Ｔｘ１）を行っている移動局装置１０に割り当てている。
【００３７】
次に、フレーム内の全てのタイムスロットセットのうち、ある通信に使用されているタイムスロットセット以外の全てのタイムスロットセットが空きとなった場合、基地局装置２０は、該通信がパケット通信であれば、４つのタイムスロットセットを、上りと下りでそれぞれ連結して使用するようにする。この連結に際しては、基地局装置２０は、上述のように、本来各タイムスロットに含まれる情報のうち、同じ移動局装置１０について同じフレーム内では１度送信すれば足りる情報（タイムスロット共通情報）を共通化する。連結されたタイムスロットにはタイムスロット共通情報が１タイムスロット分しか含まれていないために、基地局装置２０及び移動局装置１０において、連結されたタイムスロットは１つのタイムスロットとして取り扱われるようになるものの、移動局装置１０の通信レートのさらなる高速化が実現される。
【００３８】
図２（ｃ）は、この連結タイムスロットを使用する状態である。同図では、下りタイムスロットのみが連結されている。すなわち、下りのデータ量のみが多く上りのデータ量が少ない場合には、上りのタイムスロットまで連結する必要性がないので、基地局装置２０は下りタイムスロットのみを連結する。
【００３９】
なお、あるフレームで連結タイムスロットが使用されているときに、このフレームで新たな通信を開始しようとする移動局装置１０が発生すると、基地局装置２０は連結タイムスロットを解除し、連結タイムスロットを利用していた通信の使用するタイムスロット数を減ずることにより、新たな通信を行うためのタイムスロットを確保する。
【００４０】
次に、通信数が多くなってきた場合、基地局装置２０は、複数の通信を空間分割多重により多重化することを試みる。すなわち、基地局装置２０は、アダプティブアレイアンテナを構成する各アンテナにおいて、各移動局装置１０から受信している電波をそれぞれ受信することにより、各移動局装置の位置する方向を取得する。基地局装置２０は、このようにして取得した位置に基づき、空間分割多重可能な通信の組み合わせを判定し、空間分割多重を実施する。図２（ｄ）及び図２（ｅ）は空間分割多重を実施している状態を示している。図２（ｄ）は、連結タイムスロットを使用していない場合に実施される空間分割多重を示している。同図に示すように、この空間分割多重は、タイムスロットセットごとに実施される。一方、図２（ｅ）は、連結タイムスロットを使用している場合に実施される空間分割多重を示している。同図に示すように、連結タイムスロットを使用している場合の空間分割多重は、連結タイムスロットごとに実施される。
【００４１】
本実施の形態では、以上のようにしてタイムスロットを使用する移動体通信システム１において、ある移動局装置１０が行う通信が、連結タイムスロットを利用することにより高速通信している他の移動局装置１０の通信レートに影響を与えないようにする。実施形態１では、このための処理を主として基地局装置２０が行う。一方、実施形態２では、このための処理を主として移動局装置１０が行う。
【００４２】
［実施形態１］
図３は、実施形態１に係る基地局装置２０ａの機能ブロックを示す図である。同図に示すように、基地局装置２０ａは機能的に、デュプレクサ２１、送受信部２２、データ処理部２３、通信処理部２４ａ、連結タイムスロット利用有無判断部２５、空間分割多重可否判断部２６を含んで構成される。このうち、送受信部２２は受信部２２１及び送信部２２２を、通信処理部２４ａはハンドオーバ指示部２４１、フレーム使用開始指示部２４２ａ、通信開始要求受付部２４３ａ、空間分割多重実施部２４４、及び連結タイムスロット利用可否判断部２４５を、それぞれ含んで構成される。なお、図３に基づく以下の説明では、簡単のため、１つの基地局装置２０ａにフレームが１つのみ用意されているという前提で説明を進める。
【００４３】
デュプレクサ２１は、切替スイッチを有し、フレームの送受信時において、上りタイムスロットと下りタイムスロットと、で該切替スイッチを切り替える。これにより、デュプレクサ２１は、アダプティブアレイアンテナで受信された上りタイムスロットを含む無線信号を受信部２２１に出力し、送信部２２２から出力された下りタイムスロットを含む無線信号をアダプティブアレイアンテナから無線区間に送出することを実現する。すなわち、デュプレクサ２１は、時分割多重複信を実現する。
【００４４】
送受信部２２は、無線信号（無線周波数の信号）とベースバンド信号（ベースバンド周波数の信号）の相互変換や、増幅処理を行う。具体的には、受信部２２１は、デュプレクサ２１から出力された無線信号の周波数をベースバンド周波数に変換する。受信部２２１は、この変換によりベースバンド信号を取得し、データ処理部２３に出力する。また、送信部２２２は、データ処理部２３から出力されたベースバンド信号の周波数を無線周波数に変換する。送信部２２２は、この変換により無線信号を取得し、デュプレクサ２１に出力する。
【００４５】
データ処理部２３は、ベースバンド信号から、通信内容、すなわち通信信号や制御信号を取得し、通信ネットワーク３０に送信する。また、データ処理部２３は、通信ネットワーク３０から通信信号や制御信号を受信し、ベースバンド信号を生成して送信部２２２に出力する。
【００４６】
通信処理部２４ａは、データ処理部２３により取得される制御信号に基づき、通信処理を行う。また、必要に応じ制御信号をデータ処理部２３に出力し、移動局装置１０や通信ネットワーク３０に対して送信させる。
【００４７】
通信開始要求受付部２４３ａは、移動局装置１０が送信した制御信号のうち通信開始要求を受け付け、該通信開始要求に応じて通信開始処理を開始する。この通信開始処理の詳細については後述する。
【００４８】
ハンドオーバ指示部２４１は、移動局装置１０に対し、ハンドオーバを指示するための制御信号を生成し、データ処理部２３に出力する。
【００４９】
フレーム使用開始指示部２４２ａは、通信開始要求受付部２４３ａにより行われる通信開始処理が完了すると、その結果に従って、通信開始要求を送信した移動局装置１０に対し、フレームの使用開始を指示するための制御信号を生成し、データ処理部２３に出力する。詳細は後述する。
【００５０】
空間分割多重実施部２４４は空間分割多重を実施する。すなわち、空間分割多重実施部２４４は、上述のように、１つのタイムスロット又は連結タイムスロットにおいて、同時に複数の移動局装置１０が通信できるようにする。
【００５１】
連結タイムスロット利用可否判断部２４５は、移動局装置１０が行う通信が、連結タイムスロットを使用することができる通信であるかどうかを判断する。すなわち、移動局装置１０が行う通信がパケット通信である場合、連結タイムスロット利用可否判断部２４５は、移動局装置１０が行う通信が、連結タイムスロットを使用することができる通信であると判断する。一方、移動局装置１０が行う通信が音声通信である場合、連結タイムスロット利用可否判断部２４５は、移動局装置１０が行う通信が、連結タイムスロットを使用することができない通信であると判断する。
【００５２】
連結タイムスロット利用有無判断部２５は、現在行われている通信が、連結タイムスロットを利用しているか否かを判断する。
【００５３】
空間分割多重可否判断部２６は、通信処理部２４ａが指定した移動局装置１０が行う通信と、現在行われている通信と、が空間分割多重可能か否かを判断する。
【００５４】
以下、通信開始要求受付部２４３ａが行う通信開始処理について、詳細に説明する。
【００５５】
通信開始要求受付部２４３ａは、まず連結タイムスロット利用可否判断部２４５に、通信開始要求を送信した移動局装置１０の行おうとする通信が、連結タイムスロットを使用することができる通信であるかどうかを判断させる。
【００５６】
また、通信開始要求受付部２４３ａは、現在連結タイムスロット通信が行われているか否か、を連結タイムスロット利用有無判断部２５に判断させる。
【００５７】
さらに、通信開始要求受付部２４３ａは、通信開始要求を送信した移動局装置１０を指定し、空間分割多重可否判断部２６に現在行われている通信との空間分割多重が可能か否かを判断するよう、指示する。
【００５８】
空間分割多重可否判断部２６は、通信開始要求受付部２４３ａによる指示を受け、連結タイムスロット利用可否判断部２４５に、指定された移動局装置１０の行おうとする通信が、連結タイムスロットを使用することができる通信であるかどうかを問い合わせる。また、連結タイムスロット利用有無判断部２５に現在連結タイムスロット通信が行われているか否かを問い合わせる。
【００５９】
その結果、指定された移動局装置１０の行おうとする通信が、連結タイムスロットを使用することができる通信である場合であって、現在連結タイムスロット通信が行われている場合には、空間分割多重可否判断部２６は、各移動局装置１０から送信されている信号の受信電力に基づき空間分割多重の可否を判断する。
【００６０】
一方、指定された移動局装置１０の行おうとする通信が、連結タイムスロットを使用することができる通信である場合であって、現在連結タイムスロット通信が行われていない場合には、空間分割多重可否判断部２６は、空間分割多重は不可能であると判断する。
【００６１】
さらに、指定された移動局装置１０の行おうとする通信が、連結タイムスロットを使用することができない通信である場合であって、現在連結タイムスロット通信が行われている場合には、空間分割多重可否判断部２６は、空間分割多重は不可能であると判断する。
【００６２】
また、指定された移動局装置１０の行おうとする通信が、連結タイムスロットを使用することができない通信である場合であって、現在連結タイムスロット通信が行われていない場合には、空間分割多重可否判断部２６は、各移動局装置１０から送信されている信号の受信電力に基づき空間分割多重の可否を判断する。
【００６３】
通信開始要求受付部２４３ａは、以上の各部の判断結果に基づき、通信開始要求を送信した移動局装置１０が行おうとする通信が、タイムスロット連結を解除することとなる通信であるかどうかを判断する。
【００６４】
具体的には、通信開始要求受付部２４３ａは、通信開始要求を送信した移動局装置１０が行おうとする通信が、以下のいずれかに該当する場合に、連結タイムスロットを解除することとなる通信と判断する。１つは、連結タイムスロット利用可否判断部２４５の判断結果により連結タイムスロットを利用不可能な通信であることが示された場合である。他の１つは、連結タイムスロットを利用可能な通信であることが示された場合であって、空間分割多重可否判断部２６により空間分割多重が不可能な通信であることが示された場合である。
【００６５】
通信開始要求受付部２４３ａは、通信開始要求を送信した移動局装置１０が行おうとする通信がタイムスロット連結を解除することとなる通信であると判断した場合であって、さらに連結タイムスロット利用有無判断部２５により現在連結タイムスロット通信が行われていると判断された場合に、通信開始要求を送信した移動局装置１０の通信開始を制限する。より具体的には、通信開始要求受付部２４３ａは、ハンドオーバ指示部２４１に対し、移動局装置１０に対して他の基地局装置２０ａへのハンドオーバを指示するよう、指示する。
【００６６】
また、通信開始要求受付部２４３ａは、連結タイムスロット利用有無判断部２５により現在連結タイムスロット通信が行われていないと判断された場合には、通信開始要求を送信した移動局装置１０が連結タイムスロットを利用して通信を開始することを制限する。すなわち、通信開始要求受付部２４３ａは、通信開始要求を送信した移動局装置１０に対し連結タイムスロットを割り当てないことを決定する。
【００６７】
フレーム使用開始指示部２４２ａは、通信開始要求受付部２４３ａにより行われる通信開始処理が完了すると、その結果に従って、フレームの使用開始を指示するための制御信号を生成する。すなわち、フレーム使用開始指示部２４２ａは、通信開始が制限された場合には、フレームの使用開始を指示するための制御信号を生成しない。また、フレーム使用開始指示部２４２ａは、連結タイムスロットを利用して通信を開始することが制限された場合には、連結タイムスロットでない通常のタイムスロットを使用してフレームの使用を開始するよう、移動局装置１０に指示するための制御信号を生成する。一方、フレーム使用開始指示部２４２ａは、通信開始及び連結タイムスロットを利用して通信を開始することが制限されていない場合には、連結タイムスロットを使用してフレームの使用を開始するよう、移動局装置１０に指示するための制御信号を生成する。
【００６８】
移動局装置１０は、フレーム使用開始指示部２４２ａの指示或いはハンドオーバ指示部２４１の指示に従い、通信を開始する。
【００６９】
以上説明した基地局装置２０ａの処理について、その処理フロー図を参照しながら、再度より詳細に説明する。
【００７０】
図４は、基地局装置２０ａの処理フローを示す図である。なおここでは、各移動局装置１０が行う通信を呼と称する。同図に示すように、基地局装置２０ａは、まず各フレームの通信状態を取得する（Ｓ１）。すなわち、基地局装置２０ａは、まず各フレームにおいてパケット呼及び音声呼が通信中であるかどうかについての情報を取得する。
【００７１】
次に、基地局装置２０ａは、通信開始要求を送信した移動局装置１０（以下、注目移動局装置１０と称する。）が開始しようとする呼の呼種別（音声呼又はパケット呼）を判断する（Ｓ２）。音声呼であると判断した場合には、基地局装置２０ａは、通信中呼が音声呼のみであるかどうかを判断する（Ｓ３）。音声呼のみでなければ、基地局装置２０ａは、注目移動局装置１０をハンドオーバさせる（Ｓ８）。一方、音声呼のみであれば、空きタイムスロットがあれば、基地局装置２０ａは、注目移動局装置１０にそのタイムスロットのうちの１つを割り当てる（Ｓ７）。
【００７２】
次に、Ｓ２においてパケット呼であると判断した場合には、基地局装置２０ａは、通信中呼がパケット呼のみであるかどうかを判断する（Ｓ４）。パケット呼のみでなければ、基地局装置２０ａは、注目移動局装置１０をハンドオーバさせる（Ｓ８）。一方、パケット呼のみであれば、基地局装置２０ａは、通信中呼が連結タイムスロットを利用しているか否かを判断する（Ｓ５）。利用していると判断した場合、次に基地局装置２０ａは、該連結タイムスロットを利用するパケット呼と、通信開始要求を送信した移動局装置１０が開始しようとするパケット呼と、を空間分割多重できるか否かを判断する（Ｓ６）。この判断の結果、空間分割多重できると判断した場合には、基地局装置２０ａは、連結タイムスロットを注目移動局装置１０に割り当てるとともに、空間分割多重を実施する（Ｓ９）。
【００７３】
Ｓ５において利用していないと判断した場合や、Ｓ６において空間分割多重できないと判断した場合には、空きタイムスロットがあれば、基地局装置２０ａは、注目移動局装置１０にそのタイムスロットのうちの少なくとも１つを割り当てる（Ｓ１０）。
【００７４】
以上説明したように、移動体通信システム１では、通信開始要求を送信した移動局装置１０が連結タイムスロットを解除することとなる通信を開始することを制限できるので、該移動局装置１０の通信が、連結タイムスロットを利用することにより高速通信している他の移動局装置１０の通信レートに影響を与えないようにすることが実現される。
【００７５】
［実施形態２］
図５は、実施形態２に係る基地局装置２０ｂの機能ブロックを示す図である。また、図６は、実施形態２に係る移動局装置１０の機能ブロックを示す図である。なお、図５及び図６に基づく以下の説明では、簡単のため、１つの基地局装置２０ｂにフレームが１つのみ用意されているという前提で説明を進める。
【００７６】
図５に示すように、基地局装置２０ｂは機能的に、デュプレクサ２１、送受信部２２、データ処理部２３、通信処理部２４ｂ、空間分割多重可否判断部２６、通信状態取得部２７を含んで構成される。このうち、送受信部２２は受信部２２１及び送信部２２２を、通信処理部２４ｂはフレーム使用開始指示部２４２ｂ、通信開始要求受付部２４３ｂ、空間分割多重実施部２４４、及び空間多重可能性情報取得部２４６を、それぞれ含んで構成される。
【００７７】
なお、デュプレクサ２１、送受信部２２、データ処理部２３、空間分割多重可否判断部２６、空間分割多重実施部２４４の各機能は実施形態１におけるものと同様であるので、以下での説明を省略する。
【００７８】
また、図６に示すように、移動局装置１０は機能的に、デュプレクサ１１、送受信部１２、データ処理部１３、通信処理部１４を含んで構成される。このうち、送受信部１２は受信部１２１及び送信部１２２を含んで構成される。また、通信処理部１４は、受信電力取得部１４１、通信状態情報取得部１４２、空間分割可能性情報取得部１４３、基地局装置選択優先度決定部１４５、基地局装置優先度記憶部１４６、通信開始要求生成部１４８を含んで構成される。このうち、基地局装置選択優先度決定部１４５は解除可能性判断部１４７を含んで構成される。
【００７９】
以下、まず基地局装置２０ｂについて説明する。
【００８０】
通信状態取得部２７は、送受信部２２の通信状態を取得する。ここで取得する通信状態は、連結タイムスロット通信が行われているか否かに関する通信状態である。通信状態取得部２７は、取得した通信状態を示す通信状態情報を生成し、通信処理部２４ｂに出力する。
【００８１】
通信処理部２４ｂは、通信処理部２４ａと同様、データ処理部２３により取得される制御信号に基づき、通信処理を行う。また、必要に応じ制御信号をデータ処理部２３に出力し、移動局装置１０や通信ネットワーク３０に対して送信させる。通信処理部２４ｂは、通信状態取得部２７から入力された通信状態情報を制御信号に含め、データ処理部２３に、移動局装置１０に対して送信させる。なお、通信処理部２４ｂは、この通信状態情報を含む制御信号を、基地局装置２０ｂの送信電波が受信できる範囲（地理的範囲）内に存在する全ての移動局装置１０に対する一斉同報信号として送信するようにすることが好適である。
【００８２】
空間分割可能性情報取得部２４６は、後述する通信開始要求受付部２４３ｂが指定した移動局装置１０が行おうとする通信と、現に行っている通信と、の空間分割多重の可能性を示す空間分割多重可能性情報を取得する。具体的には、空間分割可能性情報取得部２４６は、空間分割多重可否判断部２６にこの可能性を問い合わせ、その結果を空間分割多重可能性情報としている。
【００８３】
空間分割多重可否判断部２６は、指定された移動局装置１０の行おうとする通信が、連結タイムスロットを使用することができる通信であるかどうかを示す情報を取得するとともに、及び現在連結タイムスロット通信が行われているか否かを示す情報を取得する。そしてこれらの取得した情報に基づき、実施形態１と同様に、通信開始要求受付部２４３ｂが指定した移動局装置１０が行おうとする通信と、現に行っている通信と、の空間分割多重の可能性を判断する。
【００８４】
通信開始要求受付部２４３ｂは、移動局装置１０が送信した制御信号のうち通信開始要求を受け付け、該通信開始要求に応じて通信開始処理を開始する。
【００８５】
この通信開始処理では、通信開始要求受付部２４３ｂは、まず空間分割可能性情報取得部２４６に、通信開始要求を送信した移動局装置１０を指定して、その空間分割多重の可能性を示す空間分割多重可能性情報を取得させる。通信開始要求受付部２４３ｂは、取得した空間分割多重可能性情報を制御信号に含め、データ処理部２３に、移動局装置１０に対して送信させる。なお、通信開始要求受付部２４３ｂは、この空間分割多重可能性情報を含む制御信号を、基地局装置２０ｂの送信電波が受信できる範囲（地理的範囲）内に存在する全ての移動局装置１０に対する一斉同報信号として送信するようにすることが好適である。
【００８６】
その後、再度移動局装置１０から通信開始要求を受け付けた場合、通信開始要求受付部２４３ｂは、該再度の通信開始要求を送信した移動局装置１０に対し通信を許可することを決定する。
【００８７】
フレーム使用開始指示部２４２ｂは、通信開始要求受付部２４３ｂが通信を許可した移動局装置１０に対し、フレームの使用開始を指示するための制御信号を生成し、データ処理部２３に出力する。
【００８８】
次に、移動局装置１０について説明する。
【００８９】
デュプレクサ１１は、切替スイッチを有し、フレームの送受信時において、上りタイムスロットと下りタイムスロットと、で該切替スイッチを切り替える。これにより、デュプレクサ１１は、アンテナで受信された上りタイムスロットを含む無線信号を受信部１２１に出力し、送信部１２２から出力された下りタイムスロットを含む無線信号をアンテナから無線区間に送出することを実現する。すなわち、デュプレクサ１１は、デュプレクサ２１とともに時分割多重複信を実現する。
【００９０】
送受信部１２は、無線信号（無線周波数の信号）とベースバンド信号（ベースバンド周波数の信号）の相互変換や、増幅処理を行う。具体的には、受信部１２１は、デュプレクサ１１から出力された無線信号の周波数をベースバンド周波数に変換する。受信部１２１は、この変換によりベースバンド信号を取得し、データ処理部１３に出力する。また、送信部１２２は、データ処理部１３から出力されたベースバンド信号の周波数を無線周波数に変換する。送信部１２２は、この変換により無線信号を取得し、デュプレクサ１１に出力する。
【００９１】
データ処理部１３は、ベースバンド信号から、通信内容、すなわち通信信号や制御信号を取得し、所定のフォーマットに変換し、入出力ポートに出力する。この入出力ポートには、例えばスピーカ、ディスプレイ、マイク、ダイヤルキーなどの入出力手段が接続される。また、データ処理部１３は、入出力ポートから入力された信号を通信信号や制御信号に変換し、ベースバンド信号を生成して送信部１２２に出力する。
【００９２】
通信処理部１４は、データ処理部１３により取得される制御信号に基づき、通信処理を行う。また、必要に応じ制御信号をデータ処理部１３に出力し、移動局装置１０や通信ネットワーク３０に対して送信させる。さらに、通信処理部１４は、パケット通信又は音声通信を開始することを決定し、基地局装置選択優先度決定部１４５に通信相手となる基地局装置２０ｂを選択させる。以下、この選択のための構成及び選択された場合の通信開始処理について、具体的に説明する。
【００９３】
受信電力取得部１４１は、受信部１２１が各基地局装置２０ｂから送信された制御信号を受信する際の受信電力を取得し、該受信電力を示す受信電力情報を基地局装置選択優先度決定部１４５に出力する。
【００９４】
通信状態情報取得部１４２は、各基地局装置２０ｂから送信された制御信号に含まれる上記通信状態情報を取得し、基地局装置選択優先度決定部１４５に出力する。
【００９５】
基地局装置選択優先度決定部１４５は、これらの各部から入力された情報に基づき、当該移動局装置１０が通信を開始する基地局装置２０ｂの選択優先度を決定する。以下、この選択について、詳細に説明する。
【００９６】
解除可能性判断部１４７は、各基地局装置２０ｂのそれぞれから受信した通信状態情報に基づき、該各基地局装置２０ｂのそれぞれと当該移動局装置１０とが通信を開始することにより、連結タイムスロット通信のタイムスロット連結が解除される可能性を判断する。基地局装置選択優先度決定部１４５は、この判断結果に基づいて、通信を開始する基地局装置２０ｂの選択優先度を決定する。
【００９７】
具体的には、解除可能性判断部１４７は、当該移動局装置１０が開始しようとする通信が連結タイムスロットを利用不可能な通信（例えば音声通信）である場合に、連結タイムスロットを利用可能な通信である場合に比べ、連結タイムスロット通信のタイムスロット連結が解除される可能性が高いと判断する。
【００９８】
また、基地局装置選択優先度決定部１４５は、各基地局装置２０ｂそれぞれについての受信電力にさらに基づいて、通信を開始する基地局装置２０ｂの選択優先度を決定する。
【００９９】
そして、基地局装置選択優先度決定部１４５は、基地局装置２０ｂの選択優先度が高い順に、各基地局装置２０ｂの中から１つの基地局装置２０ｂを選択し、通信開始要求生成部１４８に、該選択した基地局装置２０ｂに対して通信開始要求を送信するよう、指示する。
【０１００】
ここまでで説明した基地局装置選択優先度決定部１４５における処理を、より具体的な例により説明する。この例では、基地局装置選択優先度決定部１４５は、基地局装置優先度記憶部１４６に記憶される下記の各テーブルを使用する。
【０１０１】
基地局装置優先度記憶部１４６は、通信状態テーブル、受信感度テーブル、及び基地局装置優先度テーブルを記憶する。
【０１０２】
図７は通信状態テーブルの例である。同図に示すように、通信状態テーブルは、基地局装置２０ｂの通信状態（連結タイムスロット通信が行われているか否か）と、点数と、を対応付けて記憶している。なお、通信状態テーブルは、当該移動局装置１０が行おうとする通信が連結タイムスロットを利用する通信である場合とない場合とで異なる点数を記憶している。
【０１０３】
図８は受信感度テーブルの例である。同図に示すように、受信感度テーブルは、基地局装置２０ｂからの信号の受信感度（優良可の３段階）と、点数と、を対応付けて記憶している。
【０１０４】
基地局装置選択優先度決定部１４５は、通信状態情報取得部１４２より入力された通信状態情報により示される通信状態と、当該移動局装置１０がこれから行おうとする通信が連結タイムスロットを利用する通信であるか否かに基づいて、通信状態テーブルから点数を読み出す。
【０１０５】
また、基地局装置選択優先度決定部１４５は、受信電力取得部１４１より入力された受信電力情報により示される受信電力を優良可の３段階に分類してなる受信感度に基づいて、受信感度テーブルから点数を読み出す。
【０１０６】
そして、基地局装置選択優先度決定部１４５は、各基地局装置２０ｂについての合計点数を算出し、基地局装置優先度テーブルを作成する。図９は、この基地局装置優先度テーブルの例である。図９では、基地局装置２０ｂＡの通信状態は「連結タイムスロットを利用している」であるので、通信状態テーブルに基づき、連結タイムスロットを利用する場合には３点、連結タイムスロットを利用しない場合には１点となる。また、基地局装置２０ｂＡの受信感度は「優」であるので、受信感度テーブルに基づき、３点となる。そこで、基地局装置選択優先度決定部１４５は、これらの合計を算出し、基地局装置２０ｂＡの合計点数としている。基地局装置選択優先度決定部１４５は、他の基地局装置２０ｂについても同様に合計点数を算出する。
【０１０７】
基地局装置選択優先度決定部１４５は、基地局装置優先度テーブルに示される各基地局装置２０ｂについての合計点数を、当該移動局装置１０が通信を開始する基地局装置２０ｂの選択優先度とする。すなわち、基地局装置選択優先度決定部１４５は、合計点数が高い基地局装置２０ｂから順に、選択の対象とする。
【０１０８】
以上の基地局装置選択優先度決定部１４５による処理を、処理のフロー図を参照しながら、再度より詳細に説明する。
【０１０９】
図１０は、基地局装置選択優先度決定部１４５の処理のフローを示す図である。同図に示すように、基地局装置選択優先度決定部１４５はまず各基地局装置２０ｂの通信状態を取得する（Ｓ２０）。次に、基地局装置選択優先度決定部１４５は、各基地局装置２０ｂから受信される制御信号の受信感度を取得する（Ｓ２１）。そしてこれら取得した通信状態及び受信感度に基づき、基地局装置選択優先度決定部１４５は、基地局装置優先度テーブルを作成する（Ｓ２２）。
【０１１０】
次に、基地局装置選択優先度決定部１４５は、当該移動局装置１０が行おうとする通信が、連結タイムスロットを利用する通信であるか否かを判断する（Ｓ２３）。この判断結果と、Ｓ２２で作成した基地局装置優先度テーブルとに基づき、基地局装置選択優先度決定部１４５は基地局装置２０ｂを選択する（Ｓ２４）。最後に、基地局装置選択優先度決定部１４５は、通信開始要求生成部１４８に、ここで選択された基地局装置２０ｂに対し、通信開始要求を送信させる（Ｓ２５）。
【０１１１】
基地局装置選択優先度決定部１４５は、このようにして各基地局装置２０ｂの中から１つの基地局装置２０ｂを選択し、通信開始要求生成部１４８に、該選択した基地局装置２０ｂに対して通信開始要求を送信するよう、指示する。
【０１１２】
通信開始要求生成部１４８は、この指示に基づいて通信開始要求を生成し、データ処理部１３に、指示された基地局装置２０ｂに対して送信させる。
【０１１３】
このようにして送信された通信開始要求を受信した基地局装置２０ｂは、上述のように空間分割可能性情報を返送する。
【０１１４】
空間分割可能性情報取得部１４３は、こうして返送された制御信号に含まれる上記空間分割可能性情報を取得し、基地局装置選択優先度決定部１４５に出力する。
【０１１５】
解除可能性判断部１４７は、入力された空間分割多重可能性情報にさらに基づき、該空間分割多重可能性情報を送信した基地局装置２０ｂと当該移動局装置１０とが通信を開始することにより、連結タイムスロット通信のタイムスロット連結が解除される可能性を判断する。
【０１１６】
すなわち、空間分割多重可能性情報により空間分割多重ができる可能性が高いことが示される場合には、解除可能性判断部１４７は、該基地局装置２０ｂと当該移動局装置１０とが通信を開始することにより、連結タイムスロット通信のタイムスロット連結が解除される可能性が低いと判断する。
【０１１７】
より具体的には、解除可能性判断部１４７は、当該移動局装置１０が開始しようとする通信が連結タイムスロットを利用可能な通信である場合に、空間分割多重可能性情報により示される空間分割多重の可能性が高いほど、連結タイムスロット通信のタイムスロット連結が解除される可能性が低いと判断する。
【０１１８】
そして、基地局装置選択優先度決定部１４５は、解除される可能性が所定値よりも低いと判断すると、通信開始要求生成部１４８に、空間分割多重可能性情報を送信した基地局装置２０ｂに対して通信開始要求を再度送信するよう、指示する。
【０１１９】
通信開始要求生成部１４８は、この指示に基づいて再度通信開始要求を生成し、データ処理部１３に、指示された基地局装置２０ｂに対して送信させる。
【０１２０】
このようにして再度送信された通信開始要求を受信した基地局装置２０ｂは、上述のように、移動局装置１０に対しフレームの使用開始を指示するための制御信号を送信する。これを受けた通信処理部１４は、基地局装置２０ｂとの間で通信を開始する。
【０１２１】
通信処理部１４は、以上説明したようにして、基地局装置を選択し、選択した基地局装置２０ｂとの通信を開始する。
【０１２２】
以上説明したように、移動体通信システム１では、これから通信を開始しようとする移動局装置１０は、各基地局装置２０ｂで既に行われている連結タイムスロット通信の通信状況及び各基地局装置２０ｂから送信されている信号の受信電力に基づいて、自身が通信を開始することにより基地局装置２０ｂで既に行われている連結タイムスロット通信を解除してしまう可能性を取得し、該可能性に基づいて通信を開始する基地局装置２０ｂを選択するので、該移動局装置１０の通信が、連結タイムスロットを利用することにより高速通信している他の移動局装置１０の通信レートに影響を与えないようにすることが実現される。
【０１２３】
さらに、移動局装置１０は、空間分割多重の可能性にも基づいて、連結タイムスロット通信を解除してしまう可能性を取得しているので、より適切に、連結タイムスロットを利用することにより高速通信している他の移動局装置１０の通信レートに影響を与えないようにすることが実現される。
【図面の簡単な説明】
【０１２４】
【図１】本発明の実施の形態１及び２に係る移動体通信システムのシステム構成図である。
【図２】本発明の実施の形態１及び２に係るタイムスロット使用方法の説明図である。
【図３】本発明の実施の形態１に係る基地局装置の機能ブロック図である。
【図４】本発明の実施の形態１に係る基地局装置の処理のフロー図である。
【図５】本発明の実施の形態２に係る基地局装置の機能ブロック図である。
【図６】本発明の実施の形態２に係る移動局装置の機能ブロック図である。
【図７】本発明の実施の形態２に係る通信状態テーブルを示す図である。
【図８】本発明の実施の形態２に係る受信感度テーブルを示す図である。
【図９】本発明の実施の形態２に係る基地局装置優先度テーブルを示す図である。
【図１０】本発明の実施の形態２に係る移動局装置の処理のフロー図である。
【符号の説明】
【０１２５】
１  移動体通信システム、１０  移動局装置、１１  デュプレクサ、１２  送受信部、１３  データ処理部、１４  通信処理部、２０  基地局装置、２１  デュプレクサ、２２  送受信部、２３  データ処理部、２４  通信処理部、２５  連結タイムスロット利用有無判断部、２６  空間分割多重可否判断部、２７  通信状態取得部、３０  通信ネットワーク、１２１  受信部、１２２  送信部、１４１  受信電力取得部、１４２  通信状態情報取得部、１４３  空間分割可能性情報取得部、１４５  基地局装置選択優先度決定部、１４６  基地局装置優先度記憶部、１４７  解除可能性判断部、１４８  通信開始要求生成部、２２１  受信部、２２２  送信部、２４１  ハンドオーバ指示部、２４２  フレーム使用開始指示部、２４３  通信開始要求受付部、２４４  空間分割多重実施部、２４５  連結タイムスロット利用可否判断部、２４６  空間多重可能性情報取得部。
【図１】
0004704876.tif 000002
【図２】
0004704876.tif 000003
【図３】
0004704876.tif 000004
【図４】
0004704876.tif 000005
【図５】
0004704876.tif 000006
【図６】
0004704876.tif 000007
【図７】
0004704876.tif 000008
【図８】
0004704876.tif 000009
【図９】
0004704876.tif 000010
【図１０】
0004704876.tif 000011